(57)【要約】【課題】画像データに対して画像処理を施す際に、画像データが再生されるまでの待ち時間を少なくする。【解決手段】ＤＶＤプレーヤー１においてメディアＭに記録された静止画像データＳ０に濃度補正処理、階調変換処理、色補正処理、シャープネス処理およびマニュアル補正処理を施して処理済み画像データＳ１を得、これをテレビ３に再生する。この際、各処理により得られる中間処理済み画像データＳＭ０〜ＳＭ４を順次テレビ３において再生する。これにより、全ての画像処理が完了するまで待たなくても、再生しようとする静止画像データＳ０をテレビ３に表示することができる。【選択図】　　　　　図１
2004088437.tif 000002
【特許請求の範囲】
【請求項１】
画像データに対して複数の処理内容からなる画像処理を施す画像処理方法において、
前記画像データに対して前記処理内容毎に段階的に画像処理を施し、
各段階において得られる中間処理済み画像データを順次出力することを特徴とする画像処理方法。
【請求項２】
複数の前記画像データに対して前記画像処理を施すに際し、一の画像データの画像処理中に他の画像データの出力要求があった場合、該出力要求があった時点の前記一の画像データについての中間処理済み画像データを保管し、
前記他の画像データに対して前記画像処理を施すことを特徴とする請求項１記載の画像処理方法。
【請求項３】
複数の前記画像データに対して前記画像処理を施すに際し、一の画像データについて前記画像処理の完了後、直ちに他の画像データに対する前記画像処理を開始し、
前記他の画像データについて出力要求があるまで、該他の画像データについて前記各段階において得られる中間処理済み画像データを順次保管することを特徴とする請求項１または２記載の画像処理方法。
【請求項４】
画像データに対して複数の処理内容からなる画像処理を施す画像処理装置において、
前記画像データに対して前記処理内容毎に段階的に画像処理を施し、各段階において得られる中間処理済み画像データを順次出力する画像処理手段を備えたことを特徴とする画像処理装置。
【請求項５】
前記画像処理手段は、複数の前記画像データに対して前記画像処理を施すに際し、一の画像データの画像処理中に他の画像データの出力要求があった場合、該出力要求があった時点の前記一の画像データについての中間処理済み画像データを保管し、前記他の画像データに対して前記画像処理を施す手段であることを特徴とする請求項４記載の画像処理装置。
【請求項６】
前記画像処理手段は、複数の前記画像データに対して前記画像処理を施すに際し、一の画像データについて前記画像処理の完了後、直ちに他の画像データに対する前記画像処理を開始し、前記他の画像データについて出力要求があるまで、該他の画像データについて前記各段階において得られる中間処理済み画像データを順次保管する手段であることを特徴とする請求項４または５記載の画像処理装置。
【請求項７】
画像データに対して複数の処理内容からなる画像処理を施す画像処理方法をコンピュータに実行させるためのプログラムにおいて、
前記画像データに対して前記処理内容毎に段階的に画像処理を施す手順と、
各段階において得られる中間処理済み画像データを順次出力する手順とを有するプログラム。
【請求項８】
複数の前記画像データに対して前記画像処理を施すに際し、一の画像データの画像処理中に他の画像データの出力要求があった場合、該出力要求があった時点の前記一の画像データについての中間処理済み画像データを保管する手順と、
前記他の画像データに対して前記画像処理を施す手順とを有する請求項７記載のプログラム。
【請求項９】
複数の前記画像データに対して前記画像処理を施すに際し、一の画像データについて前記画像処理の完了後、直ちに他の画像データに対する前記画像処理を開始する手順と、
前記他の画像データについて出力要求があるまで、該他の画像データについて前記各段階において得られる中間処理済み画像データを順次保管する手順とを有する請求項７または８記載のプログラム。
【発明の詳細な説明】
【０００１】
【発明の属する技術分野】
本発明は、画像データに対して画像処理を施す画像処理方法および装置並びに画像処理方法をコンピュータに実行させるためのプログラムに関するものである。
【０００２】
【従来の技術】
デジタルスチルカメラ（以下デジタルカメラとする）においては、撮影により取得した画像をデジタル画像データとしてデジタルカメラ内部に設けられた内部メモリやメモリカード等のメディアに記録し、記録されたデジタル画像データに基づいて、プリンタやモニタに撮影により取得した画像を再生することができる。このように、デジタルカメラにより取得した画像をモニタやプリンタにより再生する場合においては、ネガフイルムからプリントされた写真と同様の高品位な画質を有するものとすることが期待されている。
【０００３】
このため、デジタルカメラにより取得された画像データをモニタやプリンタにおいて再生する場合に、濃度補正処理、階調変換処理、色補正処理、シャープネス処理、画像の回転、トリミング等の複数の処理内容からなる画像処理を行うための種々の画像処理方法が提案されている。このような画像処理方法は、通常、パソコンにインストールされた画像処理ソフトウェアにより実行される。そして、ユーザはデジタルカメラのメディアから画像データをパソコンのハードディスクに生成された所定のフォルダにコピーし、パソコンにインストールされた画像処理ソフトウェアを立ち上げ、画像処理ソフトウェアによるＧＵＩを用いて、画像処理を施す画像データの選択、画像処理のための種々の指示を行う。そして、画像処理ソフトウェアは、入力された指示に基づいて画像データに画像処理を施し、これにより、処理済みの画像データが得られる。
【０００４】
ところで、ＤＶＤプレーヤーは、ＤＶＤに記録された映画を家庭用のテレビにおいて再生したり、ＣＤに記録された音楽を再生して楽しむことができる。一方、ＤＶＤやＣＤ等のメディアに記録された静止画像を表す静止画像データをＤＶＤプレーヤーにより表示することも可能となってきている。これにより、デジタルカメラにより取得した画像データをメディアに記録すれば、自身が撮影した画像を家庭用のテレビに表示して家族や友人とともに楽しむことができる。
【０００５】
この際、ＤＶＤプレーヤーに画像処理を行う機能を持たせ、メディアに記録された画像データに対して画像処理を施すことにより、高画質の画像を家庭用のテレビに表示することができる。
【０００６】
【発明が解決しようとする課題】
しかしながら、多くの家庭において使用される汎用型のＤＶＤプレーヤーは、比較的安価なＣＰＵを使用しているため、上述したように複数の処理内容からなる画像処理が完了するまでに時間を要する。したがって、１つの画像データを表示するまでの待ち時間が長くなり、その結果画像データの再生時のストレスが大きい。
【０００７】
本発明は上記事情に鑑みなされたものであり、画像データに対して画像処理を施す際に、画像データが再生されるまでの待ち時間を少なくすることを目的とする。
【０００８】
【課題を解決するための手段】
本発明による画像処理方法は、画像データに対して複数の処理内容からなる画像処理を施す画像処理方法において、
前記画像データに対して前記処理内容毎に段階的に画像処理を施し、
各段階において得られる中間処理済み画像データを順次出力することを特徴とするものである。
【０００９】
「複数の処理内容」としては、濃度補正処理、階調変換処理、色補正処理、シャープネス処理、画像の回転、トリミング等が挙げられる。なお、画像データが圧縮されている場合には、画像データを解凍する処理も処理内容に含めてもよい。
【００１０】
「段階的に」とは、１つの処理内容による画像処理を行い、その処理内容による処理済みの画像データ（本発明においてはこれを中間処理済み画像データと称する）が得られると、次の処理内容による画像処理をその中間処理済み画像データに対して施し、最終的に全ての処理内容による画像処理が施された処理済みの画像データを得ることをいう。
【００１１】
「出力する」とは、１つの処理内容による処理が完了してから処理済みの画像データを出力すること、および１つの処理内容による処理中に処理が施された部分から先に処理済みの画像データを出力することの双方を含む。
【００１２】
なお、本発明による画像処理方法においては、複数の前記画像データに対して前記画像処理を施すに際し、一の画像データの画像処理中に他の画像データの出力要求があった場合、該出力要求があった時点の前記一の画像データについての中間処理済み画像データを保管し、
前記他の画像データに対して前記画像処理を施すようにしてもよい。
【００１３】
また、本発明による画像処理方法においては、複数の前記画像データに対して前記画像処理を施すに際し、一の画像データについて前記画像処理の完了後、直ちに他の画像データに対する前記画像処理を開始し、
前記他の画像データについて出力要求があるまで、該他の画像データについて前記各段階において得られる中間処理済み画像データを順次保管するようにしてもよい。
【００１４】
「直ちに画像処理を開始する」とは、他の画像データについての出力要求を待つことなく画像処理を開始することを意味する。
【００１５】
「中間処理済み画像データを順次保管する」とは、各段階において得られる中間処理済み画像データを前の段階において得られた中間処理済み画像データに代えて保管することを意味する。
【００１６】
本発明による画像処理装置は、画像データに対して複数の処理内容からなる画像処理を施す画像処理装置において、
前記画像データに対して前記処理内容毎に段階的に画像処理を施し、各段階において得られる中間処理済み画像データを順次出力する画像処理手段を備えたことを特徴とするものである。
【００１７】
なお、本発明による画像処理装置においては、前記画像処理手段を、複数の前記画像データに対して前記画像処理を施すに際し、一の画像データの処理中に他の画像データの出力要求があった場合、該出力要求があった時点の前記一の画像データについての中間処理済み画像データを保管し、前記他の画像データに対して前記画像処理を施す手段としてもよい。
【００１８】
また、本発明による画像処理装置においては、前記画像処理手段を、複数の前記画像データに対して前記画像処理を施すに際し、一の画像データについて前記画像処理の完了後、直ちに他の画像データに対する前記画像処理を開始し、前記他の画像データについて出力要求があるまで、該他の画像データについて前記各段階において得られる中間処理済み画像データを順次保管する手段としてもよい。
【００１９】
【発明の効果】
本発明によれば、画像データに対して複数の処理内容からなる画像処理を施すに際し、処理内容毎に段階的に画像データに対して画像処理が施され、各段階において得られる中間処理済み画像データが順次出力される。これにより、全ての処理内容による画像処理が完了する前に、途中の処理段階の画像データを表示することができるため、画像処理を施す際に、画像データが再生されるまでの待ち時間を短縮して、画像データの再生を行うユーザのストレスを低減することができる。
【００２０】
また、出力した中間処理済み画像データを再生することにより、画像処理を行うユーザは再生される画像の画質が徐々に向上していく状態を楽しむことができる。
【００２１】
また、請求項２の発明によれば、複数の画像データに対して画像処理を施す場合に、一の画像データの画像処理中に他の画像データの出力要求があると、出力要求があった時点での一の画像データについての中間処理済み画像データが保管されて、他の画像データに対して画像処理が施される。このため、再度一の画像データの出力要求を行った場合に、保管された一の画像データについての中間処理済み画像データを直ちに出力することができ、これにより、再度一の画像データの出力要求を行った場合における再生までの待ち時間を大幅に短縮することができる。
【００２２】
また、請求項３の発明によれば、一の画像データについての画像処理の完了後、直ちに他の画像データについての画像処理を開始するようにしたため、他の画像データについての出力要求を行った時点において、既に途中の段階まで画像処理が施された中間処理済みの他の画像データを直ちに出力することができ、これにより、他の画像データについての出力までの待ち時間を大幅に短縮することができる。
【００２３】
【発明の実施の形態】
以下図面を参照して本発明の実施形態について説明する。図１は本発明の実施形態による画像処理装置を適用したＤＶＤプレーヤーの構成を示す概略ブロック図である。図１に示すように、本実施形態によるＤＶＤプレーヤー１は、メディアＭの挿入を受け付けてメディアＭに記録された動画像データ、静止画像データＳ０および音声データ等を読み出すメディアドライブ１１と、動画像データ、静止画像データＳ０および音声データをデコードするデコーダー１２と、動画像データ、静止画像データＳ０および音声データを再生等するためのプログラムや種々の情報を記録したＲＯＭ１３と、種々のデータを一時的に記憶したり、処理の作業領域となるＲＡＭ１４と、リモコン１５からの操作を受け付ける受信部１６と、テレビ３を接続するためのテレビ端子１７と、メモリカードリーダー、ハードディスク、プリンタ等の外部機器を接続するためのＵＳＢ、ＩＥＥＥ等の規格からなる入出力端子１８と、後述するように静止画像データＳ０の再生時に静止画像データＳ０に対して画像処理を施して処理済み画像データＳ１を得る画像処理手段２１と、メディアドライブ１１、デコーダー１２、ＲＯＭ１３、ＲＡＭ１４、受信部１６、テレビ端子１７、入出力端子１８および画像処理手段２１を制御するＣＰＵ１９とを備える。
【００２４】
メディアＭにはパソコン４において、デジタルカメラ５により取得された複数の静止画像データＳ０が記録される。
【００２５】
ここで、メディアＭに記録される動画像データ、静止画像データＳ０および音声データは、それぞれＭＰＥＧ、ＪＰＥＧ等の形式により圧縮されている。デコーダー１２は、メディアＭに記録された圧縮された動画像データ、静止画像データＳ０および音声データを解凍し、再生のためにテレビ端子１７に入力するものである。なお、動画像データ、静止画像データＳ０および音声データのそれぞれについて専用のデコーダー１２を設けてもよいが、装置の小型化および低コスト化の観点から、動画像データ、静止画像データＳ０および音声データで兼用のデコーダー１２を設けることが好ましい。また、動画像データの再生時には、画像と音声とを別個にデコードする必要がある場合があるため、動画像データ用のデコーダー１２と、音声データおよび静止画像データ用のデコーダー１２とを設けることが好ましい。
【００２６】
ＲＯＭ１３には、ＤＶＤプレーヤー１の動作プログラムが記録される。この動作プログラムは、データの再生をＣＰＵ１９に行わせるものであり、その操作はリモコン１５により行われる。
【００２７】
ここで、データの再生が指示された場合には、再生するデータをユーザに選択させる画面がテレビ３に表示され、ユーザがリモコン１５により選択したデータをテレビ３に再生するように、メディアドライブ１１、デコーダー１２およびＣＰＵ１９がプログラムにより駆動される。
【００２８】
例えば、ユーザが動画像データを記録したメディアＭをメディアドライブ１１に挿入して動画像データの再生の指示を行った場合には、メディアドライブ１１によりメディアＭに記録された動画像データが読み出され、デコーダー１２によりデコードされる。そして、デコードされた動画像データがテレビ端子１７から出力されてテレビ３に動画像が再生される。
【００２９】
また、ユーザが静止画像データＳ０を記録したメディアＭをメディアドライブ１１に挿入して静止画像データＳ０の再生の指示を行った場合には、メディアドライブ１１によりメディアＭに記録された静止画像データＳ０が読み出され、デコーダー１２によりデコードされる。そして、デコードされた静止画像データＳ０に対して画像処理手段２１において画像処理が施され、これにより得られた処理済み画像データＳ１がテレビ端子１７から出力されてテレビ３に静止画像が再生される。なお、複数の静止画像データＳ０がメディアに記録されている場合には、後述するようにユーザがリモコンを操作することにより、ファイル名順に順次静止画像データＳ０に対して画像処理が施されて再生が行われる。
【００３０】
また、ユーザが音声データを記録したメディアＭをメディアドライブ１１に挿入して音声データの再生の指示を行った場合には、メディアドライブ１１によりメディアＭに記録された音声データが読み出され、デコーダー１２によりデコードされる。そして、デコードされた音声データがテレビ端子１７から出力されてテレビ３において音声が再生される。なお、入出力端子１８にステレオやスピーカーを接続し、ステレオやスピーカーにより音声を再生するようにしてもよい。
【００３１】
なお、ＲＯＭ１３に代えて、専用チップによりデータの再生を行うようにしてもよい。
【００３２】
ＲＡＭ１４は、種々のデータを一時的に記憶したり、処理の作業領域となるとともに、後述するように静止画像データＳ０に対して途中の段階まで画像処理を施すことにより得られた中間処理済み画像データを記憶する。
【００３３】
リモコン１５は、上下左右キー１５Ａ〜１５Ｄ、決定キー１５Ｅおよびその他のキーを有し、ユーザがキーを押下することによりそのキーに付与された指示を表す信号を受信部１６に送信する。本実施形態において用いられるのは左キー１５Ｃおよび右キー１５Ｄであり、静止画像データＳ０の表示中に右キー１５Ｄを押下すると、表示中の静止画像データＳ０の次のファイル名の静止画像データＳ０を表示する信号が出力される。また、静止画像データＳ０の表示中に左キー１５Ｃを押下すると、表示中の静止画像データＳ０の前のファイル名の静止画像データＳ０を表示する信号が出力される。
【００３４】
受信部１６は、リモコン１５から送信された、ユーザにより操作された操作内容を表す信号を受信し、操作内容に応じてＤＶＤプレーヤー１を駆動する指示をＣＰＵ１９に入力する。ここで、リモコン１５により、動画像データ、静止画像データＳ０および音声データの再生並びに種々の設定等、ＤＶＤプレーヤー１の全ての操作を行うことができる。
【００３５】
画像処理手段２１は、静止画像データＳ０の再生が指示された場合に、メディアＭから静止画像データＳ０を読み出し、読み出された静止画像データＳ０に対して画像処理を施す。図２は、静止画像データＳ０に対する画像処理を説明するための図である。
【００３６】
本実施形態においては、オートセットアップにより、静止画像データＳ０に対して濃度補正処理、階調変換処理、色補正処理およびシャープネス処理を施すための画像処理パラメータＰ１〜Ｐ４が算出され、これに加えて、静止画像データＳ０を再生しようとしているユーザによりマニュアル操作にて行われる画像の回転、トリミング等のパラメータが画像処理パラメータＰ５として算出される。
【００３７】
まず、演算量を低減するために、静止画像データＳ０をデコーダー１２によりデコードすることにより得られた静止画像データＳ０′に対して縮小処理が施され、オートセットアップにより、静止画像データＳ０′のタグ情報に付与された被写体輝度、ストロボの有無等の情報に基づいて静止画像データＳ０′が解析され、濃度補正処理、階調変換処理、色補正処理およびシャープネス処理を施すための画像処理パラメータＰ１〜Ｐ４が順次算出される。ここで、濃度補正および階調変換については１次元ルックアップテーブルが画像処理パラメータＰ１，Ｐ２として算出され、色補正については３×３マトリクスが画像処理パラメータＰ３として算出され、シャープネス処理についてはシャープネス処理プロファイルが画像処理パラメータＰ４として算出される。
【００３８】
一方、デジタルカメラ５は、その機種に応じて再生画像の画質が異なるものである。このため、デジタルカメラ５において得られた静止画像データＳ０に対して、オートセットアップにより算出した算出パラメータＰ１を含む画像処理パラメータＰ０を用いて画像処理を施した場合、機種に応じて再生画像の画質が異なるものとなってしまう。したがって、本実施形態においては、静止画像データＳ０に画像処理を施す際には、デジタルカメラ５の階調特性および色特性を吸収するための３次元ルックアップテーブル（ＬＵＴ１とする）により、静止画像データＳ０に対して機種間差を補償する画像処理を施して、デジタルカメラ５の機種毎の画質の差異が吸収された標準色空間の中間処理済み画像データＳＭ０を得るようにしている。なお、ＬＵＴ１はデジタルカメラ５の機種毎に生成され、画像処理手段２１により管理されている。なお、ＬＵＴ１に代えて、階調補正のための１次元ルックアップテーブルおよび色補正のための３×３マトリクスを用いてもよい。
【００３９】
一方、本実施形態においては、デコーダー１２によりデコードされることにより得られた静止画像データＳ０′がまずテレビ端子１７から出力されて再生される。なお、デコード中は例えば砂時計のように処理中であることを示す表示がテレビ３において行われる。また、デコードされた領域から先に再生するようにしてもよい。
【００４０】
そして静止画像データＳ０′を変換することにより中間処理済み画像データＳＭ０が得られると、中間処理済み画像データＳＭ０がテレビ端子１７から出力されて再生される。
【００４１】
そして、画像処理パラメータＰ１が算出されると、画像処理パラメータＰ１により中間処理済み画像データＳＭ０に対して濃度補正処理が施されて中間処理済み画像データＳＭ１が得られ、これがテレビ端子１７から出力されて再生される。
【００４２】
続いて、画像処理パラメータＰ２が算出されると、画像処理パラメータＰ２により中間処理済み画像データＳＭ１に対して階調変換処理が施されて中間処理済み画像データＳＭ２が得られ、これがテレビ端子１７から出力されて再生される。
【００４３】
続いて、画像処理パラメータＰ３が算出されると、画像処理パラメータＰ３により中間処理済み画像データＳＭ２に対して色補正処理が施されて中間処理済み画像データＳＭ３が得られ、これがテレビ端子１７から出力されて再生される。
【００４４】
続いて、画像処理パラメータＰ４が算出されると、画像処理パラメータＰ４により中間処理済み画像データＳＭ３に対してシャープネス処理が施されて中間処理済み画像データＳＭ４が得られ、これがテレビ端子１７から出力されて再生される。
【００４５】
さらに、マニュアル補正による画像処理パラメータＰ５が算出されると、画像処理パラメータＰ５により中間処理済み画像データＳＭ４に対してマニュアル操作による補正が施されて処理済み画像データＳ１が得られ、これがテレビ端子１７から出力されて再生される。
【００４６】
これにより、テレビ３には、機種の補正が施された静止画像、濃度補正が施された静止画像、階調変換が施された静止画像、色補正が施された静止画像、シャープネス処理が施された静止画像、そして最終的な画像処理が施された静止画像が段階的に順次再生される。なお、各段階における処理が完了してから中間処理済み画像データＳＭ０〜ＳＭ４および処理済み画像データＳ１をテレビ３に表示してもよいが、各段階において　中間処理済み画像データＳＭ０〜ＳＭ４および処理済み画像データＳ１の処理が施された部分から先に表示中の画像に代えて表示するようにしてもよい。
【００４７】
なお、処理済み画像データＳ１が再生される前に、ユーザがリモコン１５の右キー１５Ｄを押下してファイル名が次の静止画像データＳ０（次の静止画像データＳ０とする）の再生を指示する場合がある。この場合には、現在処理中の静止画像データＳ０の処理を中断し、次の静止画像データＳ０の画像処理を開始すればよい。なお、次の静止画像データＳ０の再生指示時において現在処理中の静止画像データＳ０の中間処理済み画像データＳＭ０〜ＳＭ４はＲＡＭ１４に記憶される。これにより、ユーザがリモコン１５の左キー１５Ｃを押下して画像処理を開始した前の静止画像データＳ０の再生を指示した場合に、最初から画像処理をやり直す必要がなくなるため、前に処理中であった静止画像データＳ０を迅速に再生することができる。
【００４８】
ここで、次の静止画像データＳ０の再生指示がなされた場合には、次の静止画像データＳ０をデコーダー１２によりデコードする必要がある。デコード中は次の静止画像データＳ０を再生することができないため、デコードが完了して静止画像データＳ０′が得られるまで、テレビ３には処理中である旨を示す砂時計の表示を行うことが好ましい。
【００４９】
一方、処理済み画像データＳ１が再生されてユーザが鑑賞している間に、次の静止画像データＳ０に対する画像処理が直ちに開始され、次の静止画像データＳ０についての静止画像データＳ０′または中間処理済み画像データＳＭ０〜ＳＭ４、さらには処理済み画像データＳ１がＲＡＭ１４に記憶される。この場合、再生中の静止画像の鑑賞時間が長ければ、さらに次の静止画像データＳ０に対する画像処理が施される。これにより、次の静止画像データＳ０の再生指示を行った場合、直ちに次の静止画像データＳ０の処理済み画像データＳ１をテレビ３に再生することができる。なお、ＲＡＭ１４の容量には限界があるため、予め定められた数の処理済み画像データＳ１のみがＲＡＭ１４に記憶されることとなる。
【００５０】
このように次の静止画像データＳ０の画像処理を開始した場合において、現在再生中の静止画像データＳ０に対してユーザがさらにマニュアル操作による補正を行う場合がある。この場合は、次の静止画像データＳ０の処理を中断するあるいは処理の優先順位を下げて、現在表示中の静止画像データＳ０の処理を行う。
【００５１】
次いで、本実施形態の動作について説明する。図３および図４は、本実施形態において行われる処理を示すフローチャートである。まず、メディアＭがメディアドライブ１１に挿入されたか否かが監視されており（ステップＳ１）、ステップＳ１が肯定されると、さらにメディアＭに記録されたデータの再生指示がなされたか否かの監視が開始される（ステップＳ２）。ステップＳ２が肯定されると、メディアＭに記録されたデータの種類が判定される（ステップＳ３）。メディアＭに記録されたデータが動画像データまたは音声データの場合には、動画像データまたは音声データがデコードされ（ステップＳ４）、テレビ端子１７から出力されてテレビ３において動画像または音声が再生され（ステップＳ５）、処理を終了する。
【００５２】
一方、メディアＭに記録されたデータが静止画像データＳ０である場合には、ファイル名が先頭の静止画像データＳ０がメディアＭから読み出されて（ステップＳ６）、デコードされ（ステップＳ７）、デコードされることにより得られた静止画像データＳ０′がテレビ端子１７から出力されてテレビ３に再生される（ステップＳ８）。そして、次の静止画像データＳ０の再生指示があったか否かが判定され（ステップＳ９）、ステップＳ９が否定されると、静止画像データＳ０′に対して機種間差を補償する画像処理が施されて中間処理済み画像データＳＭ０が得られ（ステップＳ１０）、テレビ端子１７から出力されてテレビ３に再生される（ステップＳ１１）。
【００５３】
続いて、次の静止画像データＳ０の再生指示があったか否かが判定され（ステップＳ１２）、ステップＳ１２が否定されると、静止画像データＳ０′に基づいて濃度補正処理のための画像処理パラメータＰ１が算出され（ステップＳ１３）、画像処理パラメータＰ１に基づいて中間処理済み画像データＳＭ０に対して濃度補正処理が施され（ステップＳ１４）、中間処理済み画像データＳＭ１が得られる。中間処理済み画像データＳＭ１はテレビ端子１７から出力されてテレビ３に再生される（ステップＳ１５）。
【００５４】
続いて、次の静止画像データＳ０の再生指示があったか否かが判定され（ステップＳ１６）、ステップＳ１６が否定されると、静止画像データＳ０′に基づいて階調変換処理のための画像処理パラメータＰ２が算出され（ステップＳ１７）、画像処理パラメータＰ２に基づいて中間処理済み画像データＳＭ１に対して階調変換処理が施され（ステップＳ１８）、中間処理済み画像データＳＭ２が得られる。中間処理済み画像データＳＭ２はテレビ端子１７から出力されてテレビ３に再生される（ステップＳ１９）。
【００５５】
続いて、次の静止画像データＳ０の再生指示があったか否かが判定され（ステップＳ２０）、ステップＳ２０が否定されると、静止画像データＳ０′に基づいて色補正処理のための画像処理パラメータＰ３が算出され（ステップＳ２１）、画像処理パラメータＰ３に基づいて中間処理済み画像データＳＭ２に対して色補正処理が施され（ステップＳ２２）、中間処理済み画像データＳＭ３が得られる。中間処理済み画像データＳＭ３はテレビ端子１７から出力されてテレビ３に再生される（ステップＳ２３）。
【００５６】
続いて、次の静止画像データＳ０の再生指示があったか否かが判定され（ステップＳ２４）、ステップＳ２４が否定されると、静止画像データＳ０′に基づいてシャープネス処理のための画像処理パラメータＰ４が算出され（ステップＳ２５）、画像処理パラメータＰ４に基づいて中間処理済み画像データＳＭ３に対してシャープネス処理が施され（ステップＳ２６）、中間処理済み画像データＳＭ４が得られる。中間処理済み画像データＳＭ４はテレビ端子１７から出力されてテレビ３に再生される（ステップＳ２７）。
【００５７】
続いて、次の静止画像データＳ０の再生指示があったか否かが判定され（ステップＳ２８）、ステップＳ２８が否定されると、ユーザによりマニュアル補正がなされたか否かが判定される（ステップＳ２９）。ステップＳ２９が肯定されると、マニュアル補正処理のための画像処理パラメータＰ５が算出され（ステップＳ３０）、画像処理パラメータＰ５に基づいて中間処理済み画像データＳＭ４に対してマニュアル補正処理が施され（ステップＳ３１）、処理済み画像データＳ１が得られる。処理済み画像データＳ１はテレビ端子１７から出力されてテレビ３に再生される（ステップＳ３２）。
【００５８】
そして、終了の指示がなされたか否かが判定され（ステップＳ３３）、ステップＳ３３が肯定されると処理を終了する。なお、ステップＳ２９が否定された場合にはステップＳ３３に進む。ステップＳ３３が否定されると、次の静止画像データＳ０がメディアＭから読み出され（ステップＳ３４）、ステップＳ７に戻り、ステップＳ７以降の処理、すなわち処理済み画像データＳ１がテレビ３に表示された状態において、次の静止画像データＳ０に対するデコードおよび画像処理が行われる。この場合、得られる静止画像データＳ０′または中間処理済み画像データＳＭ０〜ＳＭ４は、ＲＡＭ１４に記憶される。
【００５９】
さらに、ステップＳ３３が否定された場合には、次の静止画像データＳ０の再生指示があったか否かが判定され（ステップＳ３５）、ステップＳ３５が否定されると、ステップＳ３３に戻る。ステップＳ３５が肯定されると、処理済み画像データＳ１がＲＡＭ１４に記憶され（ステップＳ３６）、さらにＲＡＭ１４に次の静止画像データＳ０の静止画像データＳ０′、中間処理済み画像データＳＭ０〜ＳＭ４、または処理済み画像データＳ１が記憶されているか否かが判定される（ステップＳ３７）。ステップＳ３７が肯定されると、記憶されているデータの種類に応じてステップＳ８，Ｓ１１，Ｓ１５，Ｓ１９，Ｓ２３，Ｓ２７，Ｓ３２に進み、ＲＡＭ１４に記憶されている静止画像データＳ０′、中間処理済み画像データＳＭ０〜ＳＭ４、または処理済み画像データＳ１がテレビ端子１７から出力されてテレビ３に再生される。
【００６０】
ステップＳ３７が否定されると、次の静止画像データＳ０がメディアＭから読み出され（ステップＳ３８）、ステップＳ７に戻り、ステップＳ７以降の処理が行われる。
【００６１】
なお、ステップＳ９が肯定されると、静止画像データＳ０′がＲＡＭ１４に記憶され（ステップＳ４１）、次の静止画像データＳ０がメディアＭから読み出され（ステップＳ４２）、ステップＳ７に戻り、次の静止画像データＳ０に対するステップＳ７以降の処理が行われる。
【００６２】
また、ステップＳ１２が肯定されると、中間処理済み画像データＳＭ０がＲＡＭ１４に記憶され（ステップＳ４３）、次の静止画像データＳ０がメディアＭから読み出され（ステップＳ４４）、ステップＳ７に戻り、次の静止画像データＳ０に対するステップＳ７以降の処理が行われる。
【００６３】
また、ステップＳ１６が肯定されると、中間処理済み画像データＳＭ１がＲＡＭ１４に記憶され（ステップＳ４５）、次の静止画像データＳ０がメディアＭから読み出され（ステップＳ４６）、ステップＳ７に戻り、次の静止画像データＳ０に対するステップＳ７以降の処理が行われる。
【００６４】
また、ステップＳ２０が肯定されると、中間処理済み画像データＳＭ２がＲＡＭ１４に記憶され（ステップＳ４７）、次の静止画像データＳ０がメディアＭから読み出され（ステップＳ４８）、ステップＳ７に戻り、次の静止画像データＳ０に対するステップＳ７以降の処理が行われる。
【００６５】
また、ステップＳ２４が肯定されると、中間処理済み画像データＳＭ３がＲＡＭ１４に記憶され（ステップＳ４９）、次の静止画像データＳ０がメディアＭから読み出され（ステップＳ５０）、ステップＳ７に戻り、次の静止画像データＳ０に対するステップＳ７以降の処理が行われる。
【００６６】
また、ステップＳ２８が肯定されると、中間処理済み画像データＳＭ４がＲＡＭ１４に記憶され（ステップＳ５１）、次の静止画像データＳ０がメディアＭから読み出され（ステップＳ５２）、ステップＳ７に戻り、次の静止画像データＳ０に対するステップＳ７以降の処理が行われる。
【００６７】
このように、本実施形態においては、静止画像データＳ０に対して、濃度補正処理、階調変換処理、色補正処理、シャープネス処理およびマニュアル補正処理からなる画像処理を施すに際し、処理内容毎に段階的に静止画像データＳ０に対して画像処理を施し、各段階において得られる中間処理済み画像データＳＭ０〜ＳＭ４を順次出力して再生するようにしたため、全ての処理内容による画像処理が完了する前に、途中の処理段階の画像をテレビ３に表示することができる。したがって、テレビ３に画像が再生されるまでの待ち時間を短縮して、画像の再生を行うユーザのストレスを低減することができる。
【００６８】
また、静止画像データＳ０′、中間処理済み画像データＳＭ０〜ＳＭ４および処理済み画像データＳ１を順次テレビ３に表示しているため、画像処理を指示したユーザは、表示される画像の画質が徐々に向上していく状態を楽しむことができる。
【００６９】
また、一の静止画像データＳ０に対する処理中に次の静止画像データＳ０の再生指示があると、再生指示があった時点での一の静止画像データＳ０の静止画像データＳ０′または中間処理済み画像データＳＭ０〜ＳＭ４をＲＡＭ１４に記憶して、次の静止画像データＳ０に対して画像処理を施すようにしたため、再度一の静止画像データＳ０の再生指示を行った場合に、ＲＡＭ１４に記憶された一の静止画像データＳ０の途中の段階までのデータを直ちにテレビ３に再生することができる。したがって、再度一の静止画像データＳ０の再生指示を行った場合における再生までの待ち時間を大幅に短縮することができる。
【００７０】
また、一の静止画像データＳ０の画像処理の完了後、直ちに次の静止画像データＳ０の画像処理を開始するようにしたため、次の静止画像データＳ０の再生指示を行った時点において、既に途中の段階まで画像処理が施された静止画像データＳ０をテレビ３に表示することができ、これにより、次の静止画像データＳ０がテレビ３に表示されるまでの待ち時間を大幅に短縮することができる。
【００７１】
なお、上記実施形態においては、中間処理済み画像データＳＭ０〜ＳＭ４または処理済み画像データＳ１をＲＡＭ１４に記憶しているが、中間処理済み画像データＳＭ０〜ＳＭ４または処理済み画像データＳ１に代えて、画像処理パラメータＰ１〜Ｐ５をＲＡＭ１４に記憶するようにしてもよい。これにより、ＲＡＭ１４の空き容量を確保してより多くの静止画像データＳ０の画像処理パラメータＰ１〜Ｐ５をＲＡＭ１４に記憶することができる。なお、ＲＡＭ１４に記憶された画像処理パラメータＰ１〜Ｐ５は、メディアＭがメディアドライブ１１に挿入されている間はＲＡＭ１４に記憶しておき、メディアＭがメディアドライブ１１から取り出された後はＲＡＭ１４から削除すればよい。
【００７２】
また、上記実施形態においては、個々の静止画像データＳ０の再生指示を行うことにより静止画像データＳ０を再生しているが、スライドショーのように連続して静止画像データＳ０を再生することも可能である。スライドショーの場合には、１つの静止画像データＳ０の再生時間を設定することができるが、設定された再生時間が画像処理を完了するまでの時間よりも長い場合には、一の静止画像データＳ０の再生中に次の静止画像データＳ０の画像処理を行い、得られた次の静止画像データＳ０の処理済み画像データＳ１をＲＡＭ１４に記憶しておくことにより、処理済み画像データＳ１を連続して再生することができる。
【００７３】
一方、設定された再生時間が画像処理を完了するまでの時間よりも短い場合には、機種間差を補償する処理、濃度補正処理、階調変換処理、色補正処理およびシャープネス処理の全てを行うのではなく、これら複数の処理のうち、設定された再生時間内に完了することが可能な処理のみを行うようにすればよい。例えば、シャープネス処理以外の処理のみを行うようにすればよい。
【図面の簡単な説明】
【図１】本発明の実施形態による画像処理装置を適用したＤＶＤプレーヤーの構成を示す概略ブロック図
【図２】画像処理を説明するための図
【図３】本実施形態において行われる処理を示すフローチャート（その１）
【図４】本実施形態において行われる処理を示すフローチャート（その２）
【符号の説明】
１　　ＤＶＤプレーヤー
３　　テレビ
４　　パソコン
５　　デジタルカメラ
１１　　メディアドライブ
１２　　デコーダー
１３　　ＲＯＭ
１４　　ＲＡＭ
１５　　リモコン
１６　　受信部
１７　　テレビ端子
１８　　入出力端子
１９　　ＣＰＵ
２１　　画像処理手段
【図１】
2004088437.tif 000003
【図２】
2004088437.tif 000004
【図３】
2004088437.tif 000005
【図４】
2004088437.tif 000006